(57)【要約】    【課題】  全体が小型で、かつ広画角でありながら、像ぶれ補正時の収差変動を良好に補正し、防振時にも高い光学性能が得られるズームレンズを得ること。    【解決手段】 Ｎを５以上の整数とするとき物体側から像側へ順に、正の屈折力の第１レンズ群、負の屈折力の第２レンズ群、正の屈折力の第（Ｎ−２）レンズ群、負の屈折力の第（Ｎ−１）レンズ群、正の屈折力の第Ｎレンズ群から成り、各レンズ群間隔を変えてズーミングを行うズームレンズであって、第（Ｎ−１）レンズ群は光軸に対して垂直方向の成分を持つ方向に移動して結像位置を光軸に対して垂直方向に変移させる防振レンズ群を有し、第Ｎレンズ群のレンズ構成長ＢｌｄＮ、広角端における、第１レンズ面から最終レンズ面までの長さＴＤｗ、広角端における全系の焦点距離ｆｗ、第Ｎレンズ群の焦点距離ｆＮを各々適切に設定したこと。【選択図】    図１
2014010425.tif 000002
【特許請求の範囲】
【請求項１】
Ｎを５以上の整数とするとき物体側から像側へ順に、正の屈折力の第１レンズ群、負の屈折力の第２レンズ群、正の屈折力の第（Ｎ−２）レンズ群、負の屈折力の第（Ｎ−１）レンズ群、正の屈折力の第Ｎレンズ群から成り、各レンズ群間隔を変えてズーミングを行うズームレンズであって、前記第（Ｎ−１）レンズ群は光軸に対して垂直方向の成分を持つ方向に移動して結像位置を光軸に対して垂直方向に変移させる防振レンズ群を有し、
前記第Ｎレンズ群のレンズ構成長をＢｌｄＮ、
広角端における、第１レンズ面から最終レンズ面までの長さをＴＤｗ、
広角端における全系の焦点距離をｆｗ、前記第Ｎレンズ群の焦点距離をｆＮ
とするとき、
０．０１＜ＢｌｄＮ／ＴＤｗ＜０．０９
２．０＜ｆＮ／ｆｗ＜８．０
なる条件式を満たすことを特徴とするズームレンズ。
【請求項２】
広角端から望遠端へのズーミングに際し、前記第（Ｎ−２）レンズ群と前記第（Ｎ−１）レンズ群の間隔は広がり、前記第（Ｎ−１）レンズ群と前記第Ｎレンズ群の間隔は狭くなることを特徴とする請求項１に記載のズームレンズ。
【請求項３】
前記第（Ｎ−２）レンズ群の焦点距離をｆＮ−２、前記第（Ｎ−１）レンズ群の焦点距離をｆＮ−１とするとき、
０．２０＜｜ｆＮ−２／ｆＮ−１｜＜０．７０
なる条件式を満たすことを特徴とする請求項１または２に記載のズームレンズ。
【請求項４】
前記第（Ｎ−１）レンズ群の全体が防振レンズ群であることを特徴とする請求項１乃至３のいずれか１項に記載のズームレンズ。
【請求項５】
前記第Ｎレンズ群は、非球面を有する１つのレンズより構成されることを特徴とする請求項１乃至４のいずれか１項に記載のズームレンズ。
【請求項６】
前記第（Ｎ−２）レンズ群の後側主点位置から、像面までの距離をＨｄとするとき、
０．３０＜Ｈｄ／ＴＤｗ＜０．７０
なる条件式を満たすことを特徴とする請求項１乃至５のいずれか１項に記載のズームレンズ。
【請求項７】
前記第（Ｎ−２）レンズ群と前記第Ｎレンズ群はズーミングに際して同一の軌跡で移動することを特徴とする請求項１乃至６のいずれか１項に記載のズームレンズ。
【請求項８】
物体側から像側へ順に、正、負、正、負、正、負、正の屈折力の第１レンズ群乃至第７レンズ群よりなり、ズーミングに際して各レンズ群が移動することを特徴とする請求項１乃至７のいずれか１項に記載のズームレンズ。
【請求項９】
物体側から像側へ順に、正、負、正、負、正の屈折力の第１レンズ群乃至第５レンズ群よりなり、ズーミングに際して各レンズ群が移動することを特徴とする請求項１乃至７のいずれか１項に記載のズームレンズ。
【請求項１０】
請求項１乃至９のいずれか１項のズームレンズと、該ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いた撮像装置に用いられる撮影光学系には、全系が小型で高ズーム比（高変倍比）のズームレンズであることが要望されている。更に、ズームレンズに手ぶれ等の偶発的な振動が伝わったときに生ずる画像のぶれ（像ぶれ）を補償する機構（防振機構）を具備していること等が要望されている。
【０００３】
これらの要求に応えるズームレンズとして、物体側に正の屈折力のレンズ群を配置したポジティブリード型のズームレンズが知られている。ポジティブリード型のズームレンズで偶発的に振動が伝わったときに生ずる画像のぶれ（像ぶれ）を一部のレンズ群を光軸に対し垂直方向の成分を持つように移動させて補償する防振機能を有したズームレンズが知られている（特許文献１、２）。
【０００４】
特許文献１では、物体側より像側へ順に、正、負、正、正の屈折力の第１〜第４レンズ群よりなる４群ズームレンズが開示されている。そして第３レンズ群を正と負の屈折力の２つのレンズ群に分割し、負の屈折力のレンズ群を光軸に対して垂直にシフト（移動）することで防振を行うズームレンズが開示されている。
【０００５】
特許文献２では、物体側より像側へ順に、正、負、正、負、正の屈折力の第１〜第５レンズ群よりなる５群ズームレンズが開示されている。そして第４レンズ群、または第４レンズ群の一部のレンズ群を光軸に対して垂直にシフトすることで防振を行うズームレンズが開示されている。
【先行技術文献】
【特許文献】
【０００６】
【特許文献１】特開２０１０−０１９９４５号公報
【特許文献２】特開２０１０−２７１３６２号公報
【発明の概要】
【発明が解決しようとする課題】
【０００７】
近年、撮像装置に用いるズームレンズには、高ズーム比で、かつ防振機能を有していること等が強く要望されている。特に、像ぶれ補正のための防振レンズ群を光軸に対して垂直方向に移動させて補正する場合には、像ぶれ補正時の収差変動が少なく、防振時にも良好なる光学性能が維持されることが求められている。
【０００８】
ズームレンズの一部のレンズ群を防振レンズ群とし、光軸に対して垂直方向に平行偏心させて像ぶれの補正を行うズームレンズにおいては、比較的容易に像ぶれを補正することができる。しかしながらズームレンズのレンズ構成及び防振のために移動させる防振レンズ群の像側に配置されているレンズ群のレンズ構成が適切でないと、防振時において偏心収差の発生量が多くなり、光学性能が大きく低下してくる。
【０００９】
このため、高ズーム比で、かつ防振機能を有するズームレンズでは、全体のレンズ構成や防振レンズ群よりも像側のレンズ群の構成等を適切に設定することが重要になってくる。これらの構成を適切に設定しないと全系の小型化を図り、かつ高ズーム比を確保しつつ、防振時に高い光学性能を維持するのが大変困難になってくる。
【００１０】
前述した特許文献１のズームレンズでは、正の屈折力の第１レンズ群が負の屈折力の第２レンズ群に対して物体側に移動することで、変倍効果の大半を得ている。ズーミングに際して第１レンズ群の繰り出し量が大きい程、レンズ全長（第１レンズ面から最終レンズ面までの長さ）を決定する広角端におけるレンズ全長の短縮を図ること、及び高性能化を図るのに有利である。
【００１１】
しかしながら、第１レンズ群の繰り出し量が多いと、その繰り出し量相当の長さを持つ鏡筒を、本体に収納する必要がある。このため、仕様によっては第１レンズ群の繰り出し量がレンズ全長により制限され、高ズーム比が難しくなり、または段階的に繰り出す等のメカ構成による工夫を要する。
【００１２】
また、特許文献１では、正の屈折力の第３レンズ群を物体側より順に正と負の屈折力の部分レンズ群に分割している。そして負の屈折力の部分レンズ群を光軸に対して直行方向に移動することで防振を行っているが、望遠端において防振性能が低下する傾向があった。
【００１３】
特許文献２のズームレンズはズーミングに際し、第４レンズ群が、第３レンズ群及び第５レンズ群に対して相対的に像側に移動することで、補助的に変倍効果を得ており、第１レンズ群の物体側への繰り出し量を比較的抑えられる利点を有している。
【００１４】
特許文献２では、第４レンズ群を２つの負の屈折力の部分レンズ群に分割し、物体側の負の屈折力の部分レンズ群で防振を行っている。特許文献２では４群ズームレンズに比べると望遠端における防振性能が良好ではあるが、必ずしも十分ではなかった。
【００１５】
また、特許文献１と２のポジティブリード型のズームレンズは、高ズーム比化し易いという利点を有する反面、全系の小型化と広画角化を図ることが困難だった。
【００１６】
本発明は、全体が小型で、かつ広画角でありながら、像ぶれ補正時の収差変動を良好に補正し、防振時にも高い光学性能が得られるズームレンズの提供を目的とする。
【課題を解決するための手段】
【００１７】
本発明のズームレンズは、Ｎを５以上の整数とするとき物体側から像側へ順に、正の屈折力の第１レンズ群、負の屈折力の第２レンズ群、正の屈折力の第（Ｎ−２）レンズ群、負の屈折力の第（Ｎ−１）レンズ群、正の屈折力の第Ｎレンズ群から成り、各レンズ群間隔を変えてズーミングを行うズームレンズであって、前記第（Ｎ−１）レンズ群は光軸に対して垂直方向の成分を持つ方向に移動して結像位置を光軸に対して垂直方向に変移させる防振レンズ群を有し、前記第Ｎレンズ群のレンズ構成長をＢｌｄＮ、広角端における、第１レンズ面から最終レンズ面までの長さをＴＤｗ、広角端における全系の焦点距離をｆｗ、前記第Ｎレンズ群の焦点距離をｆＮとするとき、
０．０１＜ＢｌｄＮ／ＴＤｗ＜０．０９
２．０＜ｆＮ／ｆｗ＜８．０
なる条件式を満たすことを特徴としている。
【発明の効果】
【００１８】
本発明は、全体が小型で、かつ広画角でありながら、像ぶれ補正時の収差変動を良好に補正し、防振時にも高い光学性能が得られるズームレンズの提供を目的とする。
【図面の簡単な説明】
【００１９】
【図１】本発明の実施例１のズームレンズの広角端におけるレンズ断面図
【図２】（Ａ）、（Ｂ）  本発明における数値実施例１の広角端と、望遠端における縦収差図
【図３】（Ａ）、（Ｂ）  本発明における数値実施例１の広角端と、望遠端における横収差図
【図４】（Ａ）、（Ｂ）  本発明における数値実施例１の広角端と、望遠端において０．５度の防振を行ったときの横収差図
【図５】本発明の実施例２のズームレンズの広角端におけるレンズ断面図
【図６】（Ａ）、（Ｂ）  本発明における数値実施例２の広角端と、望遠端における縦収差図
【図７】（Ａ）、（Ｂ）  本発明における数値実施例２の広角端と、望遠端における横収差図
【図８】（Ａ）、（Ｂ）  本発明における数値実施例２の広角端と、望遠端において０．５度の防振を行ったときの横収差図
【図９】本発明の実施例３のズームレンズの広角端におけるレンズ断面図
【図１０】（Ａ）、（Ｂ）  本発明における数値実施例３の広角端と、望遠端における縦収差図
【図１１】（Ａ）、（Ｂ）  本発明における数値実施例３の広角端と、望遠端における横収差図
【図１２】（Ａ）、（Ｂ）  本発明における数値実施例３の広角端と、望遠端において０．５度の防振を行ったときの横収差図
【図１３】本発明の実施例４のズームレンズの広角端におけるレンズ断面図
【図１４】（Ａ）、（Ｂ）  本発明における数値実施例４の広角端と、望遠端における縦収差図
【図１５】（Ａ）、（Ｂ）  本発明における数値実施例４の広角端と、望遠端における横収差図
【図１６】（Ａ）、（Ｂ）  本発明における数値実施例４の広角端と、望遠端において０．５度の防振を行ったときの横収差図
【図１７】本発明の撮像装置の要部概略図
【発明を実施するための形態】
【００２０】
以下、本発明のズームレンズ及びそれを有する撮像装置の実施例について説明する。本発明のズームレンズは、Ｎを５以上の整数とするとき物体側から像側へ順に、次のレンズ群から成っている。正の屈折力の第１レンズ群、負の屈折力の第２レンズ群、正の屈折力の第（Ｎ−２）レンズ群、負の屈折力の第（Ｎ−１）レンズ群、正の屈折力の第Ｎレンズ群から成り、各レンズ群間隔を変えてズーミングを行う。そして第（Ｎ−１）レンズ群は光軸に対して垂直方向の成分を持つ方向に移動して結像位置を光軸に対して垂直方向に変移させる防振レンズ群を有している。
【００２１】
図１は、本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における縦収差図である。図３（Ａ）、（Ｂ）はそれぞれ実施例１のズームレンズの広角端と望遠端における横収差図である。図４（Ａ）、（Ｂ）はそれぞれ実施例１のズームレンズの広角端、望遠端における０．５度の像位置変化後の横収差図である。実施例１はズーム比２．８４、開口比（Ｆナンバー）４．１０のズームレンズである。
【００２２】
図５は、本発明の実施例２のズームレンズの広角端におけるレンズ断面図である。図６（Ａ）、（Ｂ）はそれぞれ実施例２のズームレンズの広角端、望遠端における縦収差図である。図７（Ａ）、（Ｂ）はそれぞれ実施例２のズームレンズの広角端と望遠端における横収差図である。図８（Ａ）、（Ｂ）はそれぞれ実施例２のズームレンズの広角端、望遠端における０．５度の像位置変化後の横収差図である。実施例２はズーム比２．８４、開口比４．１２〜４．１０のズームレンズである。
【００２３】
図９は、本発明の実施例３のズームレンズの広角端におけるレンズ断面図である。図１０（Ａ）、（Ｂ）はそれぞれ実施例３のズームレンズの広角端、望遠端における縦収差図である。図１１（Ａ）、（Ｂ）はそれぞれ実施例３のズームレンズの広角端と望遠端における横収差図である。図１２（Ａ）、（Ｂ）はそれぞれ実施例３のズームレンズの広角端、望遠端における０．５度の像位置変化後の横収差図である。実施例３はズーム比２．８４、開口比４．１０のズームレンズである。
【００２４】
図１３は、本発明の実施例４のズームレンズの広角端におけるレンズ断面図である。図１４（Ａ）、（Ｂ）はそれぞれ実施例４のズームレンズの広角端、望遠端における縦収差図である。図１５（Ａ）、（Ｂ）はそれぞれ実施例４のズームレンズの広角端と望遠端における横収差図である。図１６（Ａ）、（Ｂ）はそれぞれ実施例４のズームレンズの広角端、望遠端における０．５度の像位置変化後の横収差図である。実施例４はズーム比２．８４、開口比４．１０のズームレンズである。図１７は本発明の撮像装置の要部概略図である。
【００２５】
本発明のズームレンズは、デジタルカメラ、ビデオカメラ、銀塩フィルムカメラ等の撮像装置に用いられるものである。レンズ断面図において左方が前方（物体側、拡大側）で右方が後方（像側、縮小側）である。レンズ断面図において、ｉは物体側から像側への各レンズ群の順序を示し、Ｌｉは第ｉレンズ群である。ＳＰは開放Ｆナンバー（Ｆｎｏ）光束を決定（制限）する開口絞りの作用をするＦナンバー決定部材（以下「開口絞り」ともいう。）である。
【００２６】
ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。又、銀塩フィルム用カメラの撮影光学系として使用する際にはフィルム面に相当する感光面が置かれている。矢印は広角端から望遠端へのズーミングに際しての各レンズ群の移動軌跡を示している。フォーカスに関する矢印は無限遠物体から近距離物体へのフォーカシングにおけるレンズ群の移動方向を示している。
【００２７】
それぞれの縦収差図は、左から順に、球面収差（軸上色収差）、非点収差、歪曲、倍率色収差を表している。球面収差と倍率色収差を示す図において、実線はｄ線（５８７．６ｎｍ）、破線はｇ線（４３５．８ｎｍ）を表している。また、非点収差を示す図において、実線はｄ線のサジタル方向、破線はｄ線のメリディオナル方向を表している。また、歪曲を示す図は、ｄ線における歪曲を表している。ＦｎｏはＦナンバー、ωは半画角（度）である。
【００２８】
ここで、防振シフトは光軸に対して直交方向への微少量の偏芯であり、縦収差には影響しないため、防振時の縦収差図は省略した。また、それぞれの横収差図において、ｈｇｔは像高である。また実線はｄ線のサジタル方向、破線はｄ線のメリディオナル方向を表している。
【００２９】
ここで、特許文献１に示すような、正、負、正、正の屈折力の第１レンズ群乃至第４レンズ群よりなる、一般的な４群ズームレンズの特徴について説明する。４群ズームレンズでは、広角端から望遠端のズーミングに際し、第１レンズ群、第３レンズ群、第４レンズ群が物体側に大きく移動することで変倍効果を得ている。
【００３０】
この４群ズームレンズの広角端において、像面側から物体側に向かい、軸上光束を追跡しながらその光学的特徴を説明する。広角端では、全系の主点位置を像面寄りに配置する必要があるため、第４レンズ群は、レンズ本体の最も像側に近接した状態となる。そのため、第４レンズ群では軸上光線の入射高ｈが小さくなり、像面からの発散光束に対する正の屈折力の寄与が小さく、物体側ではやや発散性が緩まった光束となる。
【００３１】
次に、第３レンズ群の像側の負の屈折力の部分レンズ群において発散性が強められ、隣接する第３レンズ群の物体側の正の屈折力の部分レンズ群で最も軸上光線の入射高ｈが大きくなり、強い正の屈折力で収束光束になって、第４レンズ群へと向かう。よって、防振レンズ群である第３レンズ群の一部分の像側の負の屈折力のレンズ群は、軸上光束の発散中に配置されており、軸上光線の入射高ｈが比較的小さい状態と言える。そのため、防振シフト時のコマ収差の変動を比較的小さくすることができる。
【００３２】
次に、望遠端において、同じように像面側から物体側に向かい、軸上光束を追跡しながら、その特徴を説明する。望遠端では、全系の主点位置を効果的に物体側に移動させるべく、第３レンズ群と第４レンズ群が大きく物体側に移動している。このため、第４レンズ群での軸上光線の入射高ｈが大きくなり、物体側が収束光となる。
【００３３】
次に、第４レンズ群の物体側に近接した状態の第３レンズ群の一部の像側の負の屈折力のレンズ群で、収束光束をアフォーカル（平行光束）に近い状態にし、第３レンズ群の一部の物体側の正の屈折力のレンズ群で再び収束光束とし、第２レンズ群へと向かう。そのため、第４レンズ群から、防振レンズ群である第３レンズ群の一部の像側の負の屈折力のレンズ群、第３レンズ群の一部の物体側の正の屈折力のレンズ群まで、軸上光線の入射高ｈが常に大きい状態にある。そのため、防振シフト時のコマ収差の変動が大きくなっている。
【００３４】
特許文献１では、防振シフト時のコマ収差の変動を、非球面レンズを使用することで補正しているが、それでもサジタル像面の変動が残っている。
【００３５】
次に、特許文献２に示すような、正、負、正、負、正の屈折力の第１レンズ群乃至第５レンズ群よりなる一般的な５群ズームレンズが、前述した４群ズームレンズに比べ、防振性能が比較的補正しやすい理由について説明する。
【００３６】
５群ズームレンズは、望遠端において、全系の主点位置を物体側に移動させるべく、第３レンズ群と第５レンズ群を、物体側に移動させる。この時、第４レンズ群を第３レンズ群と第５レンズ群に対して相対的に像側に移動していることが特徴である。そのため、５群ズームレンズの最終レンズ群のズーミングに際しての移動量は、負の屈折力のレンズ群が相対的に像側に移動する分だけ、４群ズームレンズに比べて小さくなる。５群ズームレンズの望遠端において、同じように像面側から物体側に向かい、軸上光束を追跡しながら説明する。
【００３７】
第５レンズ群での軸上光線の入射高ｈが大きくなり、その物体側が緩い収束光束となる。
次に、第５レンズ群の物体側に近接した状態の負の屈折力の第４レンズ群で、発散光束となり、第４レンズ群の第３レンズ群に対する相対移動分だけ離れた位置にある第３レンズ群へと向かい、第３レンズ群で収束光とし、第２レンズ群へと向かっている。
【００３８】
そのため、防振レンズ群である第４レンズ群は、軸上光束の発散中に配置されており、軸上光線の入射高ｈが比較的小さい状態となる。そのため、５群ズームレンズでは、防振レンズ群に非球面レンズを用いることなく、防振シフト時のコマ収差の変動を４群ズームレンズよりは良好に補正できる。
【００３９】
本発明のズームレンズでは、５群ズームレンズにおける、望遠端での防振性能を更に良好にすることができることを特徴としている。
【００４０】
前述した５群ズームレンズの説明から、望遠端での防振レンズ群の軸上光線の入射高ｈをより小さくすることで、防振性能を向上することができる。そのため本発明では、第５レンズ群のレンズ構成長を短くしている。これにより、広角端から望遠端へのズーミングで第４レンズ群が第５レンズ群側に移動した際、像面から第４レンズ群までの距離が短くなり、それにより第４レンズ群での軸上光線の入射高ｈを小さくして、防振性能を向上している。
【００４１】
次に、本発明では全系の小型化と広画角化をバランス良く達成している。通常、ポジティブリード型のズームレンズは高ズーム比化には有利である。しかしながら第１レンズ群の正の屈折力で軸外主光線の角度αａを緩めてしまうため、広画角化を図るには、第２レンズ群の屈折力を強く、第１レンズ群の屈折力を緩くする必要がある。
【００４２】
この時、強い負の屈折力の第２レンズ群で発生する歪曲や倍率色収差、像面湾曲などの軸外収差を弱い正の屈折力の第１レンズ群で補正するには、第１レンズ群を大型化して軸外主光線の入射高ｈａを上げる必要がある。そのため全系が大型化する傾向があった。
【００４３】
そこで本発明者は、第３レンズ群以降の屈折力配置を最適化し、第２レンズ群の屈折力を緩めることが出来れば、第１レンズ群も小型化出来、それにより全系の小型化が達成されると考えた。
【００４４】
従来の５群ズームレンズでは、像面から射出瞳までの距離が遠く、画面周辺光束がテレセントリックに近くなっていた。そのため、物体側で広画角化を図るためには、開口絞りより像側の正の屈折力と、開口絞りより物体側の負の屈折力を共に強くする必要があり、その結果第１レンズ群が大型化していた。
【００４５】
そこで本発明では、第５レンズ群の正の屈折力を緩く、第３レンズ群の正の屈折力を強くすることで、全系の射出瞳を像面側に寄せた。言い換えると、テレセントリックに近かった像側での軸外主光線に、予めある程度の角度を持たせた。それにより、第３レンズ群以降の正の屈折力の合成レンズ群で、軸外主光線の角度αａをある程度得ることができたため、第２レンズ群の屈折力を緩めても広画角化できることを見出した。それにより、第１レンズ群への軸外主光線の入射高ｈａも小さく出来、広画角化と全系の小型化を図っている。
【００４６】
尚、本発明で言う５群ズームレンズとは、第１レンズ群と第２レンズ群がそれぞれ正と負の屈折力のレンズ群であり、かつ像側から３つのレンズ群が正、負、正の屈折力のレンズ群の順に配置されるものを総称している。本発明のズームレンズにおいては第２レンズ群と第３レンズ群の間に複数のレンズ群があっても良い。
【００４７】
次に、本発明のズームレンズの具体的な構成について説明する。本発明のズームレンズは、正の屈折力の第１レンズ群、負の屈折力の第２レンズ群、正の屈折力の第（Ｎ−２）レンズ群、負の屈折力の第（Ｎ−１）レンズ群、正の屈折力の第Ｎレンズ群から成るＮ群構成である。Ｎは５以上の整数である。そして第（Ｎ−１）レンズ群の全体または一部で防振を行っている。
【００４８】
そして第Ｎレンズ群のレンズ構成長（ブロック長）をＢｌｄＮとする。広角端における、第１レンズ面から最終レンズ面までの長さをＴＤｗとする。広角端における全系の焦点距離をｆｗ、第Ｎレンズ群の焦点距離をｆＮとする。
【００４９】
このとき、
０．０１＜ＢｌｄＮ／ＴＤｗ＜０．０９    ・・・（１）
２．０＜ｆＮ／ｆｗ＜８．０              ・・・（２）
なる条件式を満たしている。
【００５０】
各実施例のズームレンズは、ポジティブリード型を採用するとともに、高ズーム比化を図っている。Ｎレンズ群構成で、正の屈折力の第（Ｎ−２）レンズ群、負の屈折力の第（Ｎ−１）レンズ群、正の屈折力の第Ｎレンズ群であり、第（Ｎ−１）レンズ群の全体または一部で防振を行うことで、望遠端において防振性能を良好に維持している。そして、条件式（１）を満たすことで、望遠端での防振性能をより良好にしている。
【００５１】
条件式（１）は、第Ｎレンズ群のブロック長（レンズ構成長）を短くすることで、望遠端において第（Ｎ−１）レンズ群を極力像側に近くし、軸上光線高ｈが低くなる位置に防振レンズ群を配置し、防振時の中心コマを補正しやすくするための条件式である。条件式（１）の上限値を逸脱すると、第Ｎレンズ群のブロック長が長くなってしまい、望遠端において防振レンズ群に入射する軸上光線の入射高ｈが大きくなり、防振時のコマ収差の変動が大きくなってしまう。
【００５２】
条件式（１）の下限値を逸脱すると、第Ｎレンズ群のブロック長が短過ぎ、正の屈折力のレンズ群としての働きを効果的に得るのが難しくなる。条件式（１）は、より好ましくは次の数値範囲とするのが良い。
【００５３】
０．０１５＜ＢｌｄＮ／ＴＤｗ＜０．０６０      ・・・（１ａ）
条件式（２）は全系の小型化と広画角化を容易にするためのものである。条件式（２）は、第Ｎレンズ群のパワー（屈折力）をある程度緩くし、全系の射出瞳位置を像側に近くし、広角化を効果的に達成するための条件式である。条件式（２）の上限値を逸脱すると、第Ｎレンズ群のパワーが緩過ぎて、変倍の効果が弱くなり、これに対して第１レンズ群Ｌ１の変倍負担が大きくなり、全系が大型化してくる。
【００５４】
条件式（２）の下限値を逸脱すると、第Ｎレンズ群のパワーが強く、全系の射出瞳位置が像側から遠くなり、広画角化が困難になる。より好ましくは条件式（２）の数値範囲を次の如く設定するのが良い。
【００５５】
２．５０＜ｆＮ／ｆｗ＜７．５０      ・・・（２ａ）
以上により、本発明では、防振機能を有し小型で広画角でありながら、高い光学性能を有し、かつ防振時においても良好な光学性能を有するズームレンズを得ている。
【００５６】
次に、本発明のより好ましい条件について説明する。広角端から望遠端へのズーミングに際し、第（Ｎ−２）レンズ群と第（Ｎ−１）レンズ群の間隔は広がり、第（Ｎ−１）レンズ群と第Ｎレンズ群の間隔は狭くなるようにするのが良い。それによれば、第（Ｎ−２）レンズ群から第Ｎレンズ群までの正の屈折力の合成レンズ群の主点位置をズーミングにより像側から物体側に寄せることができて、変倍効果が容易に得られる。
【００５７】
第（Ｎ−２）レンズ群の焦点距離をｆＮ−２、第（Ｎ−１）レンズ群の焦点距離をｆＮ−１とするとき、
０．２０＜｜ｆＮ−２／ｆＮ−１｜＜０．７０      ・・・（３）
なる条件式を満たすのが良い。
【００５８】
条件式（３）は、第（Ｎ−２）レンズ群から第Ｎレンズ群までの変倍補助効果を効果的に得るための条件式である。条件式（３）は、条件式（２）で第Ｎレンズ群の正の屈折力をある程度弱くしている分、正の屈折力の第（Ｎ−２）レンズ群に正の屈折力を配分するためのものである。負の屈折力の第（Ｎ−１）レンズ群に対してある程度強い屈折力を持たせることで、通常の５群ズームタイプと同等の変倍効果を得ている。条件式（３）の上限値を逸脱すると、第（Ｎ−２）レンズ群の屈折力が弱くなり、第（Ｎ−２）レンズ群から第Ｎレンズ群までの変倍を効果的に得るのが難しくなる。
【００５９】
また、条件式（３）の下限値を逸脱すると、第（Ｎ−２）レンズ群の屈折力が強くなり、球面収差が大きく発生して高い光学性能を得ることが困難になってしまう。より好ましくは条件式（３）の数値範囲を次の如く設定するのが良い。
【００６０】
０．３０＜｜ｆＮ−２／ｆＮ−１｜＜０．５０    ・・・（３ａ）
第（Ｎ−１）レンズ群の全体が防振レンズ群であることが良い。各実施例のズームレンズは、第（Ｎ−１）レンズ群全体で防振を行うと、構成を簡略化できるため、好ましい。第Ｎレンズ群は、非球面を有する１つのレンズより構成されることが良い。第Ｎレンズ群を１枚のレンズで構成すると、ブロック長を短くでき、条件式（１）を満たし易くなるため好ましい。第Ｎレンズ群が１枚でも十分な収差補正の効果を持たせるために、非球面レンズであると良い。
【００６１】
第（Ｎ−２）レンズ群の後側主点位置から、像面までの距離をＨｄとするとき、
０．３０＜Ｈｄ／ＴＤｗ＜０．７０    ・・・（４）
なる条件式を満たすことが良い。条件式（４）は、広角端における第（Ｎ−２）レンズ群の後側主点位置を像面に近い位置にするための条件式である。
【００６２】
条件式（２）で、第Ｎレンズ群の屈折力を弱くした際、第（Ｎ−２）レンズ群から第Ｎレンズ群までの合成レンズ群の後側主点位置が物体側にシフトし、レトロフォーカスの屈折力配置が弱くなり、広画角化が困難になる。
【００６３】
そこで、条件式（４）を満たし、第（Ｎ−２）レンズ群の後側主点位置を像面に近い位置とすることで、第Ｎレンズ群の屈折力を弱くしても、第（Ｎ−２）レンズ群から第Ｎレンズ群までの合成レンズ群の後側主点位置を通常の５群ズームタイプと同等にしている。
【００６４】
条件式（４）の上限値を逸脱すると、第（Ｎ−２）レンズ群から第Ｎレンズ群までの合成レンズ群の後側主点位置が物体側にシフトしてしまい、レトロフォーカスの屈折力配置が弱くなるため、好ましくない。
【００６５】
条件式（４）の下限値を逸脱すると、第（Ｎ−２）レンズ群の後側主点位置が像側になり過ぎ、第（Ｎ−１）レンズ群と第Ｎレンズ群のスペースが少なくなり、十分な変倍を行うのが困難になる。より好ましくは、条件式（４）の数値範囲を次の如く設定するのが良い。
【００６６】
０．３５＜Ｈｄ／ＴＤｗ＜０．６０      ・・・（４ａ）
第（Ｎ−２）レンズ群と第Ｎレンズ群が、ズーミングに際して一体で駆動するのが良く、これによれば構成を簡略化できて好ましい。
【００６７】
正の屈折力の第（Ｎ−２）レンズ群、負の屈折力の第（Ｎ−１）レンズ群、正の屈折力の第Ｎレンズ群で変倍を行う。この場合、広角端から望遠端へのズーミングに際し、第（Ｎ−２）レンズ群と負の第（Ｎ−１）レンズ群の間隔を広げ、第（Ｎ−１）レンズ群と第Ｎレンズ群の間隔を狭めることが重要である。よって、第（Ｎ−２）レンズ群と第Ｎレンズ群が、ズーミングに際して一体で駆動しても、第（Ｎ−１）レンズ群をそれらに対して相対的に像側に移動させることで、間隔の関係を満たすことが出来る。
【００６８】
それにより、レンズ群を移動する機構を１つ減らすことが出来、例えば５群ズームタイプであっても、実質４群ズームタイプと同等の構成に簡略化することが容易になる。
【００６９】
物体側から像側へ順に、正、負、正、負、正、負、正の屈折力の第１レンズ群乃至第７レンズ群よりなることが良い。物体側から像側へ順に、正、負、正、負、正の屈折力の第１レンズ群乃至第５レンズ群よりなることが良い。
【００７０】
各実施例のズームレンズは、第２レンズ群と第３レンズ群の間に複数のレンズ群が配置される５群以上のズームレンズであっても良い。
【００７１】
以下、各実施例における詳細なレンズ構成について説明する。実施例１は、物体側より像側へ順に、正の屈折力の第１レンズ群Ｌ１、負の屈折力の第２レンズ群Ｌ２、正の屈折力第３レンズ群Ｌ３を有する。更に負の屈折力第４レンズ群Ｌ４、正の屈折力第５レンズ群Ｌ５、負の屈折力第６レンズ群Ｌ６、正の屈折力第７レンズ群Ｌ７を有するズーム比２．９倍の７群ズームレンズを紹介している。
【００７２】
広角端から望遠端へのズーミングに際し、第１レンズ群Ｌ１と第２レンズ群Ｌ２の間隔を広げ、レンズ群Ｌ２とレンズ群Ｌ３の間隔を狭め、レンズ群Ｌ３とレンズ群Ｌ４の間隔を広げる。更にレンズ群Ｌ４とレンズ群Ｌ５の間隔を狭め、レンズ群Ｌ５とレンズ群Ｌ６の間隔を広げ、レンズ群Ｌ６とレンズ群Ｌ７の間隔を狭めるように各レンズ群が移動している。また、第２レンズ群Ｌ２を物体側に移動することで無限遠物体から近距離物体へのフォーカシングを行っている。
【００７３】
第３レンズ群Ｌ３と第５レンズ群Ｌ５と第７レンズ群Ｌ７はズーミングに際して同一の軌跡で移動しており、それによりレンズ構成を簡略化している。第６レンズ群Ｌ６全体を光軸に対して垂直方向の成分を持つように移動して、結像位置を光軸に対して垂直方向へ変移させている。即ち防振を行っている。第７レンズ群Ｌ７は、１枚の非球面レンズで構成され、かつ条件式（１）を満たしている。それにより広角端から望遠端へのズーミングに際して第６レンズ群Ｌ６と第７レンズ群Ｌ７との間隔を詰めた際に、第６レンズ群Ｌ６を極力像側に配置することが出来、防振時の中心コマの変動を小さくしている。
【００７４】
次に、第７レンズ群Ｌ７は条件式（２）を満たしており、それにより全系の射出瞳位置を像側寄りとし、全系の小型化及び広画角化を容易にしている。次に、第５レンズ群Ｌ５が条件式（３）、（４）を満たしており、それにより第７レンズ群Ｌ７のパワーが弱くなった分、第５レンズ群Ｌ５のパワーを強く、また第５レンズ群Ｌ５の後側主点位置を像側に配置している。これにより、第５レンズ群Ｌ５乃至第７レンズ群Ｌ７のパワー配置や変倍を効果的に行っている。
【００７５】
実施例２は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５で構成される。実施例２はズーム比２．９の５群ズームレンズである。
【００７６】
広角端から望遠端へのズーミングに際し、第１レンズ群Ｌ１と第２レンズ群Ｌ２の間隔を広げ、第２レンズ群Ｌ２と第３レンズ群Ｌ３の間隔を狭め、第３レンズ群Ｌ３と第４レンズ群Ｌ４の間隔を広げる。更に第４レンズ群Ｌ４と第５レンズ群Ｌ５の間隔を狭めるように各レンズ群が移動している。また、第２レンズ群Ｌ２を物体側に移動することで無限遠物体から近距離物体へのフォーカシングを行っている。
【００７７】
尚、第３レンズ群Ｌ３と第５レンズ群Ｌ５がズーミング時に際して同一の軌跡で移動しており、それにより構成を簡略化している。第４レンズ群Ｌ４全体を光軸に対して垂直方向の成分を持つ方向に移動して防振を行っている。第５レンズ群Ｌ５は、１枚の非球面レンズで構成され、かつ条件式（１）を満たしている。それにより広角端から望遠端へのズーミングに際して第４レンズ群Ｌ４と第５レンズ群Ｌ５との間隔を詰めた際に、第４レンズ群Ｌ４を極力像側に配置することが出来、防振時の中心コマの変動を小さくしている。
【００７８】
次に、第５レンズ群Ｌ５は条件式（２）を満たしており、それにより全系の射出瞳位置を像側寄りとし、全系の小型と広画角化を容易にしている。次に、第３レンズ群Ｌ３が条件式（３）、（４）を満たしている。それにより第５レンズ群Ｌ５のパワーが弱くなった分、第３レンズ群Ｌ３のパワーを強く、また第３レンズ群Ｌ３の後側主点位置を像側に配置することで、第３レンズ群Ｌ３から第５レンズ群Ｌ５のパワー配置や変倍を効果的に行っている。
【００７９】
実施例３は、物体側より像側へ順に、正の屈折力の第１レンズ群Ｌ１、負の屈折力の第２レンズ群Ｌ２、正の屈折力の第３レンズ群Ｌ３を有する。更に負の屈折力の第４レンズ群Ｌ４、正の屈折力の第５レンズ群Ｌ５、負の屈折力の第６レンズ群Ｌ６、正の屈折力の第７レンズ群Ｌ７を有するズーム比２．９の７群ズームレンズである。
【００８０】
広角端から望遠端へのズーミングに際し、各レンズ群の間隔変化は実施例１と同じである。フォーカシングや防振に関しても実施例１と同じである。
【００８１】
この他各レンズ群の光学作用も実施例１と同様である。実施例４は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５で構成される。実施例４はズーム比２．９の５群ズームレンズである。
【００８２】
広角端から望遠端へのズーミングに際し、各レンズ群の間隔変化は実施例２と同じである。またフォーカシングや防振に関しても実施例２と同じである。
【００８３】
実施例４では、第５レンズ群Ｌ５が２枚のレンズ構成となっている。第５レンズ群Ｌ５を１つの非球面レンズで構成するのに対し、第５レンズ群Ｌ５のレンズ構成長が厚くなっている。しかし、レンズ構成長は条件式（１）を満たす範囲であり、本発明の効果を十分に得ることができる。その他の構成や各レンズ群の光学作用については、実施例２と同様である。
【００８４】
以上、本発明の好ましい光学系の実施例について説明したが、本発明はこれらの実施例に限定されないことは言うまでもなく、その要旨の範囲内で種々の変形及び変更が可能である。
【００８５】
次に本発明のズームレンズを撮影光学系として用いたデジタルスチルカメラの実施例を図１７を用いて説明する。図１７において、２０はカメラ本体、２１は実施例１乃至４に説明したいずれか１つのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。
【００８６】
実施例１〜４にて説明した利益は本実施例に開示したような撮像装置において効果的に享受される。本発明のズームレンズは、上述のような光学系を有する光学機器（例えば撮像装置、画像投影装置やその他の光学機器）に、種々適用可能である。またクイックリターンミラーのないミラーレスの一眼レフカメラにも同様に適用できる。
【００８７】
以下に実施例１乃至４に対応する数値実施例１乃至４を示す。各数値実施例においてｉは物体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、ｒを近軸曲率半径、各非球面係数をＫ、Ａ４、Ａ６、Ａ８、Ａ１０、Ａ１２としたとき
【００８８】
【数１】
2014010425.tif 000003
で与えるものとする。各非球面係数において「ｅ−ｘ」は「１０-x」を意味する。また、焦点距離、Ｆナンバー等のスペックに加え、画角は全系の半画角、像高は半画角を決定する最大像高、レンズ全長は第１レンズ面から像面までの距離である。バックフォーカスＢＦは最終面から像面までの長さを示している。
【００８９】
また、ズーム群データは、各レンズ群の焦点距離、光軸上の長さ、前側主点位置、後側主点位置を表している。また、各光学面の間隔ｄが（可変）となっている部分は、ズーミングに際して変化するものであり、別表に焦点距離に応じた面間隔を記している。また、有効径が（可変）となっている部分は、ズーミングに際して口径が変化する可変絞りを表しており、別表にｅａとして焦点距離に応じた有効径を記している。
【００９０】
また、防振時の性能は、０．５度防振シフト時の性能であり、無限遠物点の光軸上から逆トレースした光線が、像面上で光軸からΔＹ＝ｆ・ｔａｎ０．５°だけシフトするまで防振レンズ群をシフトさせた状態における性能を表している。また、以下に記載する数値実施例１から４のレンズデータに基づく、各条件式の計算結果を表１に示す。
【００９１】
（数値実施例１）
単位 mm
面データ
面番号       r        d      nd         νd       有効径
1        244.112    2.00   1.84666    23.8       62.18
2         70.196    6.23   1.77250    49.6       56.48
3        335.290    0.15                         55.34
4         54.589    5.57   1.77250    49.6       51.93
5        129.741  (可変)                         50.79
6*        88.687    1.80   1.77250    49.6       33.01
7         14.403    8.45                         23.35
8        -33.568    1.30   1.77250    49.6       22.82
9         37.697    0.62                         22.06
10         35.988    5.57   1.80518    25.4       22.21
11        -71.710  (可変)                         21.68
12         32.225    3.78   1.71736    29.5       19.17
13        -82.351  (可変)                         19.17
14        -37.863    1.00   1.90366    31.3       18.75
15         97.924  (可変)                         19.16
16          ∞       2.00                         (可変) 
17(絞り)    ∞       0.00                         20.87
18         34.648    6.25   1.59282    68.6       21.73
19        -31.951    0.15                         21.84
20         36.323    6.48   1.49700    81.5       20.48
21        -20.515    1.00   1.90366    31.3       19.31
22       -264.091  (可変)                         18.99
23        187.038    0.90   1.80000    29.8       17.36
24         16.784    2.98   1.84666    23.8       16.82
25         44.446  (可変)                         16.51
26         80.344    3.33   1.58313    59.4       21.88
27*       -89.432                                 22.60
【００９２】
非球面データ
第6面
K = 0.00000e+000  A 4= 8.98821e-006  A 6=-1.42285e-008  A 8= 3.04974e-011  A10=-6.43979e-014  A12= 7.13375e-017  
第27面
K = 0.00000e+000  A 4= 1.79006e-005  A 6= 3.09106e-009  A 8= 2.10449e-010  A10=-6.98537e-013  
各種データ
ズーム比      2.84 
広角     中間     望遠
焦点距離      24.30    35.10    68.99  
Fナンバー      4.10     4.10     4.10  
半画角（度）  41.68    31.65    17.41  
像高          21.64    21.64    21.64  
レンズ全長   134.63   141.64   168.69  
BF            39.12    46.74    62.83  
d 5            2.98    10.63    30.15  
d11           17.91     9.66     1.10  
d13            1.52     2.06     3.12  
d15            3.56     3.03     1.97  
d22            1.21     4.37     8.47  
d25            8.76     5.60     1.50  
ea16          13.57    15.52    19.89
【００９３】
（数値実施例２）
単位 mm
面データ
面番号       r        d      nd         νd       有効径
1        244.062    2.00   1.84666    23.8       64.64
2         83.927    6.00   1.77250    49.6       62.03
3        350.238    0.15                         61.42
4         55.880    6.03   1.77250    49.6       57.19
5        122.534  (可変)                         55.99
6*        98.398    1.80   1.77250    49.6       34.14
7         14.795    8.25                         24.22
8        -46.504    1.30   1.77250    49.6       23.85
9         24.603    0.24                         22.69
10         24.192    5.19   1.80518    25.4       22.85
11       -159.562  (可変)                         22.41
12         40.237    8.90   1.69895    30.1       17.28
13        -49.463    0.83                         17.86
14        -35.012    1.00   1.80518    25.4       17.81
15         92.952    1.95                         18.27
16(絞り)    ∞       2.00                         19.01
17          ∞       0.00                         (可変) 
18         29.397    6.29   1.59282    68.6       20.95
19        -44.553    0.15                         20.96
20         42.750    6.14   1.49700    81.5       20.20
21        -21.086    1.00   1.90366    31.3       19.28
22        -61.117  (可変)                         19.17
23        444.046    0.90   1.80100    35.0       16.43
24         20.297    2.48   1.84666    23.8       15.89
25         44.951  (可変)                         15.53
26       -940.184    2.57   1.85400    40.4       19.64
27*       -82.910                                 20.38
【００９４】
非球面データ
第6面
K = 0.00000e+000  A 4= 6.96342e-006  A 6=-1.16139e-008  A 8= 1.81152e-011  A10=-2.30739e-014  A12= 1.21944e-017  
第27面
K = 0.00000e+000  A 4= 1.58011e-005  A 6= 1.25331e-008  A 8= 2.62340e-010  A10=-7.51678e-013  
各種データ
ズーム比      2.84 
広角     中間     望遠
焦点距離      24.30    35.10    68.97  
Fナンバー      4.12     4.24     4.10  
半画角（度）  41.68    31.65    17.42  
像高          21.64    21.64    21.64  
レンズ全長   134.70   138.57   169.18  
BF            39.08    48.50    60.06  
d 5            2.77     6.78    33.95  
d11           18.78     9.21     1.10  
d22            1.20     3.92     7.41  
d25            7.71     4.99     1.50  
ea17          13.84    15.95    21.17
【００９５】
（数値実施例３）
単位 mm
面データ
面番号       r        d      nd         νd       有効径
1        231.709    2.10   1.84666    23.8       61.88
2         74.605    5.52   1.77250    49.6       56.41
3        265.186    0.15                         55.01
4         52.560    5.34   1.77250    49.6       49.66
5        134.582  (可変)                         48.61
6*        88.149    1.90   1.77250    49.6       38.10
7         15.331    9.99                         26.39
8        -42.994    1.30   1.72000    50.2       25.98
9         30.100    0.15                         24.92
10         28.459    5.48   1.80518    25.4       25.05
11       -128.056  (可変)                         24.58
12         45.165    2.38   1.69895    30.1       18.55
13        812.728  (可変)                         18.62
14        -38.378    1.00   1.84666    23.8       19.30
15       -129.346  (可変)                         19.87
16          ∞       2.00                         (可変)
17(絞り)    ∞       0.00                         21.60
18         29.842    5.64   1.59282    68.6       22.59
19        -45.232    0.15                         22.50
20         36.171    6.22   1.49700    81.5       21.27
21        -24.891    1.00   1.90366    31.3       20.11
22       -126.271  (可変)                         19.69
23        275.852    0.90   1.80100    35.0       17.34
24         20.702    2.26   1.84666    23.8       16.69
25         44.008  (可変)                         16.34
26        122.598    2.35   1.85400    40.4       18.77
27*      4930.262                                 19.27
【００９６】
非球面データ
第6面
K = 0.00000e+000  A 4= 5.43827e-006  A 6=-7.32059e-009  A 8= 1.15564e-011  A10=-1.09310e-014  
第27面
K = 0.00000e+000  A 4= 2.07361e-005  A 6=-3.08819e-009  A 8= 4.68412e-010  A10=-1.71513e-012  
各種データ
ズーム比      2.84 
広角     中間     望遠
焦点距離      24.30    35.10    69.00  
Fナンバー      4.10     4.10     4.10  
半画角（度）   41.68    31.65    17.41  
像高          21.64    21.64    21.64  
レンズ全長   133.57   135.98   161.10  
BF            39.71    48.99    63.18  
d 5            0.90     4.51    25.87  
d11           22.01    11.53     1.10  
d13            4.76     5.93     6.74  
d15            3.48     2.31     1.50  
d22            1.20     2.75     5.10  
d25            5.68     4.12     1.77  
ea16          14.08    16.60    20.71
【００９７】
（数値実施例４）
単位 mm
面データ
面番号       r        d      nd         νd       有効径
1        244.225    2.00   1.84666    23.8       63.07
2         83.751    5.56   1.77250    49.6       58.74
3        320.295    0.15                         58.01
4         52.387    5.85   1.77250    49.6       53.82
5        117.578  (可変)                         52.66
6*        84.539    1.50   1.88300    40.8       33.21
7         14.835    8.37                         24.18
8        -42.802    1.10   1.77250    49.6       23.79
9         33.406    0.15                         22.97
10         28.090    7.38   1.74000    28.3       23.14
11        -27.688    0.57                         22.56
12        -23.904    1.10   1.72000    43.7       22.16
13        -61.111  (可変)                         21.74
14          ∞       2.00                         (可変)
15(絞り)    ∞       0.00                         19.60
16         23.085    4.27   1.84666    23.8       20.79
17       1337.697    1.63                         20.39
18       -150.192    1.00   1.84666    23.8       19.89
19         15.019    7.31   1.49700    81.5       19.18
20        -52.397    0.15                         19.78
21         24.566    4.10   1.59282    68.6       20.18
22       -253.590  (可変)                         19.73
23        -52.684    2.48   1.84666    23.8       17.08
24        -22.073    0.90   1.61340    44.3       16.95
25         45.671  (可変)                         16.20
26         76.888    5.18   1.49700    81.5       18.60
27        -18.918    0.15                         19.21
28        -21.455    1.40   1.85400    40.4       19.14
29*       -54.615                                 20.27
【００９８】
非球面データ
第6面
K = 0.00000e+000  A 4= 7.12321e-006  A 6=-7.50723e-009  A 8= 5.47249e-012  A10= 1.03630e-014  
第29面
K = 0.00000e+000  A 4= 1.88052e-005  A 6= 1.51555e-008  A 8= 2.92228e-010  A10=-6.98610e-013  
各種データ
ズーム比      2.84 
広角     中間     望遠
焦点距離      24.30    35.00    69.01  
Fナンバー      4.10     4.10     4.10  
半画角（度）   41.68    31.72    17.41  
像高          21.64    21.64    21.64  
レンズ全長   133.59   138.76   164.80  
BF            39.00    46.89    60.00  
d 5            3.02     9.58    32.00  
d13           19.47    10.20     0.71  
d22            1.88     3.50     5.76  
d25            5.90     4.28     2.02  
ea14          13.70    15.46    18.60
【００９９】
【表１】
2014010425.tif 000004
【符号の説明】
【０１００】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      ＳＰ  絞り
Ｆｏｃｕｓ  フォーカシングで移動する群とその方向
ＩＳ  防振でシフトするレンズ群
【図１】
2014010425.tif 000005
【図２】
2014010425.tif 000006
【図３】
2014010425.tif 000007
【図４】
2014010425.tif 000008
【図５】
2014010425.tif 000009
【図６】
2014010425.tif 000010
【図７】
2014010425.tif 000011
【図８】
2014010425.tif 000012
【図９】
2014010425.tif 000013
【図１０】
2014010425.tif 000014
【図１１】
2014010425.tif 000015
【図１２】
2014010425.tif 000016
【図１３】
2014010425.tif 000017
【図１４】
2014010425.tif 000018
【図１５】
2014010425.tif 000019
【図１６】
2014010425.tif 000020
【図１７】
2014010425.tif 000021